(57)【要約】【課題】電動ステープラの上部に当接レバーと可動片とマイクロスイッチとからなり、綴着動作を外部から視認することができる電動ステープラのスイッチ機構を提供する。【解決手段】ケース本体内に装備される電源のオン／オフを行う電動ステープラのスイッチ機構が、挿入する紙に当接する当接端と回動して可動片を押し上げる他端とからなるとともにケース本体に回動自在に軸支された当接レバーと、前記当接レバーの他端が押し上げられることにより上下動するようにケース本体に装着された板状の可動片と、前記可動片の先端が上に押し上げられることにより押圧されて起動する固定マイクロスイッチと、からなる構造である。【選択図】      図１
2008221347.tif 000002
【特許請求の範囲】
【請求項１】
ケース本体と、回転駆動装置（モータ）及びギアで構成された駆動部と、電気回路を装備した基板部と、ステープル(綴じ針)を収納する収納フレーム部と、該収納フレーム部に収納されたステープル(綴じ針)を上部から押圧し書類束等にステープルの両先端を貫通綴着させるアーム部とからなる電動ステープラにおいて、
ケース本体内に装備される電源のオン／オフを行う電動ステープラのスイッチ機構が、
挿入する紙に当接する当接端と回動して可動片を押し上げる他端とからなるとともにケース本体に回動自在に軸支された当接レバーと、
前記当接レバーの他端が押し上げられることにより上下動するようにケース本体に装着された板状の可動片と、
前記可動片の先端が上に押し上げられることにより押圧されて起動する固定マイクロスイッチと、
からなることを特徴とする電動ステープラのスイッチ機構
【請求項２】
前記可動片は、前記当接レバーの回動により先端が上下動するようにケース本体に回動自在に軸支されていることを特徴とする請求項１記載の電動ステープラのスイッチ機構
【請求項３】
前記電動ステープラのスイッチ機構は、ステープルを紙に綴着させる位置を適宜設定できるように、電動ステープラの長手方向に前後に移動可能な板状体の調節部に前記当接レバーを軸支するとともに調節部に外部から操作可能な突起からなる調整ボタンを装備したことを特徴とする請求項１記載の電動ステープラのスイッチ機構
【請求項４】
前記電動ステープラのスイッチ機構は、適宜の位置で固定することができるように、前記調節部の下部に突起を設け、さらに、該突起と係合するラックが設けられた位置固定部を配設することを特徴とする請求項１〜３記載の電動ステープラのスイッチ機構
【請求項５】
前記電動ステープラのスイッチ機構は、前記調節部の前後の移動距離を制限するために、前記調節部を略クランク状として段差となる当接部を設け、前記当接部に当接するストッパを設置したことを特徴とする請求項１〜４いずれか記載の電動ステープラのスイッチ機構
【請求項６】
前記当接レバーの他端に可動片を延設して、当接レバーと可動片を一体的に成形した当接可動レバーが、ケース本体に回動自在に軸支されるとともに挿入する紙の当接する当接端と上下移動してマイクロスイッチの可動部を押圧する他端とからなることを特徴とする請求項１記載の電動ステープラのスイッチ機構
【発明の詳細な説明】
【技術分野】
【０００１】
本発明は、書類等のシート束にステープル(綴じ針)で穿孔し、かしめて閉じることが可能な電動ステープラに関し、特に、適宜の位置でステイプルを綴着することができる電動ステープラのスイッチ機構に関する。
【背景技術】
【０００２】
従来、書類等のシート束をファイルするための道具としてステープラが多く使用されている。手動のステープラが多いが、シート束が厚いと力が必要となる。そこで、人力で綴じ器を押圧するのに替えて電動式のステープラが考案された。電動ステープラは電気の駆動力で自動的に綴じることが可能であるため便利に利用されている。ステープラの綴着位置はシート束の厚さやシートの大きさによって一定ではない事がある。そこで、ステープラの綴着位置を自由に設定できるようにする工夫としてマイクロスイッチは固定しているが、スイッチ機構全体を移動可能とした電動ステープラを開発し、出願している（特開２００３−３３４７７０号）。
【０００３】
開示されている電動ステープラは、スイッチ全体を移動させて綴着位置を適宜設定し作動するような構造としたために、電動ステープラの動作及びステイプルの綴着状態を目視することに困難があった。また、スイッチ全体を移動させる構造に追従して連動する部材が多いため、構造が複雑となり製作にコストがかかるという問題もあった。
そこで、構成する部材の数を少なくし、またスイッチ機構が壊れにくく、且つ、綴着状態を目視することができる電動ステープラの開発が待たれていた。
【特許文献１】特開２００３−３３４７７０号
【発明の開示】
【発明が解決しようとする課題】
【０００４】
上記問題を解決するため、本発明に係る電動ステープラのスイッチ機構は、電動ステープラの上部に当接レバーと可動片とマイクロスイッチとからなり、綴着動作を外部から視認することができる電動ステープラのスイッチ機構を提供することを目的としている。
【課題を解決するための手段】
【０００５】
上記目的を達成するために本発明に係る電動ステープラのスイッチ機構は、ケース本体と、回転駆動装置（モータ）及びギアで構成された駆動部と、電気回路を装備した基板部と、ステープル(綴じ針)を収納する収納フレーム部と、該収納フレーム部に収納されたステープル(綴じ針)を上部から押圧し書類束等にステープルの両先端を貫通綴着させるアーム部とからなる電動ステープラにおいて、ケース本体内に装備される電源のオン／オフを行う電動ステープラのスイッチ機構が、挿入する紙に当接する当接端と回動して可動片を押し上げる他端とからなるとともにケース本体に回動自在に軸支された当接レバーと、前記当接レバーの他端が押し上げられることにより上下動するようにケース本体に装着された板状の可動片と、前記可動片の先端が上に押し上げられることにより押圧されて起動する固定マイクロスイッチと、からなる構造である。
【０００６】
前記可動片は、前記当接レバーの回動により先端が上下動するようにケース本体に回動自在に軸支されている構造である。また、前記電動ステープラのスイッチ機構は、ステープルを紙に綴着させる位置を適宜設定できるように、電動ステープラの長手方向に前後に移動可能な板状体の調節部に前記当接レバーを軸支するとともに調節部に外部から操作可能な突起からなる調整ボタンを装備した構造でもある。
【０００７】
前記電動ステープラのスイッチ機構は、適宜の位置で固定することができるように、前記調節部の下部に突起を設け、さらに、該突起と係合するラックが設けられた位置固定部を配設する構造である。また、前記電動ステープラのスイッチ機構は、前記調節部の前後の移動距離を制限するために、前記調節部を略クランク状として段差となる当接部を設け、前記当接部に当接するストッパを設置した構造でもある。さらに、前記当接レバーの他端に可動片を延設して、当接レバーと可動片を一体的に成形した当接可動レバーが、ケース本体に回動自在に軸支されるとともに挿入する紙の当接する当接端と上下移動してマイクロスイッチの可動部を押圧する他端とからなる構造でもある。
【発明の効果】
【０００８】
本発明に係る電動ステープラのスイッチ機構は、上記詳述した通りの構成であるので、以下のような効果がある。
１．スイッチ機構を上部に設けて、紙葉が当接レバーを押すことにより可動片を押し上げてマイクロスイッチを押して起動する構造としたため、簡単な構造で綴着位置の変更ができ、かつ安定性のある固定スイッチ機構を利用することができる。
２．可動片を回動自在に軸支したことにより、簡単な構造で本発明のスイッチ機構を実現することが可能である。
３．調節部を設けて、当接レバーを軸支した構造にすることにより、調節部を動作させることにより当接レバーを動かすことができるので、構造的に安定した動作のできる機構である。
【０００９】
４．調節部の下部に突起を設けて、ラックが形成された位置固定部を設けて係合させたことにより、当接レバーの位置を安定的にかつ極めて微細なポイントで固定させることができる。
５．調節部に当接するストッパを設けることにより、調節部の移動を制限させることができる。
６．可動片に係合突部よりも径が大きく、略水平に横に長い長孔形状を形成し、当接レバーと可動片を一体的に成形することも可能である。
【発明を実施するための最良の形態】
【００１０】
以下に本発明に係る電動ステープラのスイッチ機構を図面に示す実施例により詳細に説明する。図１は本発明の電動ステープラのスイッチ機構の側断面図であり、図２（ａ）〜（ｃ）は本発明の電動ステープラのスイッチ機構の動作を示す動作図であり、図３はスイッチ機構の分解斜視図であり、図４はスイッチ機構が構成される電動ステープラの側面図である。また、図５は別の実施例のスイッチ機構を示す側面図である。
本発明にかかる電動ステープラ１のスイッチ機構１０は、当接レバー２０と、可動片３０と、マイクロスイッチ４０と、からなる。また、調節部５０と、位置固定部６０と、ストッパ７０と、調整ボタン３からなる構造でもある。
【００１１】
当接レバー２０は、図面に示すようにこの実施例では略Ｓ字型となっている。回動自在となるようにケース本体に軸支されて一端である当接端２２が押されると軸回転して他端が可動片を押し上げる構造である。この機能があれば略Ｓ字型である必要はない。この実施例では調節部５０に直接軸支される構成である。さらに、略Ｓ字型の長い当接端２２は、紙葉が挿入された際に当接して回動し、略Ｓ字型の短い他端２４は回動に伴い可動片３０を押し上げる構成である。当接レバー２０は調節部５０の板状体に固設されているので、調節部５０の左右への移動により位置が自在に変えられる。これによりシート束との当接位置も自在に変化させることができる。
【００１２】
可動片３０は、略Ｌ字型の板状体からなり、回動自在となるように、基部となる左の一端３２が軸支されている構造である。また、この実施例では。当接レバー２０の前後移動に対応できるように、他端２４に当接する係合部３４を長く設定している。可動片３０は、係合部３４の底部を当接レバー２０の他端２４が押し上げることにより、可動片３０は上方に移動し、表面がマイクロスイッチ４０のスイッチレバーを押し上げてスイッチを起動させる。
【００１３】
マイクロスイッチ４０は、基板部（図示しない）に固設され起動スイッチであり、可動片３０に押圧されることにより端子が接合してＯＮ状態となる。この実施例では電動ステープラのメインスイッチを別に設けている。
この実施例では、さらに調節部５０と、位置固定部６０と、ストッパ７０と、調整ボタン３が配置される。
【００１４】
調節部５０は、板状体からなり、一端に当接レバー２０を軸着する軸芯となる突棒が装備されている。当接レバー２０を回動自在に軸支するとともに、略中央には調整ボタン３と嵌合する突起が装備されている当接レバー２０を前後移動可能にし、紙葉の綴着位置を任意の位置で決定できるように、前後にスライド移動可能に構成されている。この調節部５０に当接レバー２０を軸支することにより、調節部５０を前後に移動して当接レバー２０を移動させることが可能となる。また、位置を固定させるために、この実施例の調節部５０は、図３に示すように、略中央にクランク状の当接部５４を設け、この当接部が後述するストッパ７０と当接する構造でもある。当接部は、調節部を板状体とし、突起とすることでも代用することができる。
【００１５】
位置固定部６０は、調節部５０の位置を固定することができるように、上部にラック６２が設けられた長板であり、調節部５０の下部に設けられる突起５２と係合することにより、調節部５０を確実に固定することが可能となる。
【００１６】
ストッパ７０は、調節部５０の位置を制限するための部材であり、この実施例では、電動ステープラの略中央に設けられる。この実施例では調節部５０に設けられたクランク状の当接部５４とストッパ７０が当接する。
【００１７】
本発明の電動ステープラのスイッチ機構１０を図２に示す動作図により詳細に説明する。スイッチ機構は、この実施例では電動ステープラの主電源のスイッチとは別の綴着作動を起動するスイッチとなっている。
図２（ａ）はスイッチ機構の待機状態を示す図であり、この状態では当接レバー２０の一端２２は電動ステープラ１の挿入口２を塞ぐ形で待機している。また、この状態のときに調節部５０を移動させることにより、紙葉の綴着位置を任意に決定することができる。また、どの位置に当接レバーを固定しても、確実にマイクロスイッチ４０を押圧できるように、可動片３０は当接レバー２０の移動距離よりも長めに係合部３４を設定している。
【００１８】
図２（ｂ）は実際に紙を入れた状態の図、図２（ｃ）は図２（ｂ）の裏面からの図であり、紙を挿入することにより、紙が当接レバー２０の一端２２を押圧する。当接レバー２０は回動自在に軸支されているため、一端２２が押圧されることにより、他端２４が上方に移動し、可動片を上方に押圧する。可動片は上方に持ち上げられるため、マイクロスイッチ４０のスイッチレバーを押圧し、電動ステープラの動作がＯＮとなる。
紙葉を取り出すと、当接レバー２０は一端２２のほうが長く比重が重いため、図２（ａ）の待機状態に戻る。
【００１９】
調節部３０は、図３に示すように外部から位置を調節できるように、調整ボタン３を装着する構成としてもよい。また、この実施例では調整ボタンはスライド式であるが、回転式とすることも可能である。
本発明の電動ステープラのスイッチ機構により、任意の位置で紙葉を綴着できるだけではなく、目視して決定することも可能となった。
また、マイクロスイッチまで連動させる部材を少なくすることにより、コストを抑えることができるだけでなく、故障の発生を防止することも可能となった。
【００２０】
別の実施例では、図５に示すように当接レバーと可動片を一体化して、マイクロスイッチを押圧する当接可動レバー８０としている。この構造は、紙葉を当接片８２に当てて押し込むと、軸８４を中心に回動し、可動部８６の上面でマイクロスイッチ４０を押圧する構造となっている。
また、図面では示していないが、調節部及び位置固定部及びストッパは図１に示す構造と同じ配置で組み込まれている。
【００２１】
当接可動レバーの形状は図面に示す形状に限定はされず、待機状態から係合部によりマイクロスイッチを押圧することが可能な形状であればよい。また、一旦を軸支して回動可能な状態とることや、両端に縦長の長孔を形成し、突起と係合させて上下動可能とする構造も考えられる。さらに、可動片単体若しくは係合部と一体化させた当接可動レバーにおいて、突起が係合する縦長孔若しくは横長孔を形成して、可動片単体若しくは一体化させた当接可動レバーだけで前後移動可能なスイッチ機構を実現することも可能である。
【図面の簡単な説明】
【００２２】
【図１】電動ステープラのスイッチ機構の側断面図
【図２】（ａ）スイッチ機構の待機状態を示す図、（ｂ）スイッチ機構の動作状態を示す図、（ｃ）（ｂ）の裏面を示す図
【図３】スイッチ機構を示す分解斜視図
【図４】本発明のスイッチ機構を含む電動ステープラの側面図
【図５】別の実施例のスイッチ機構を示す側面図
【符号の説明】
【００２３】
１        電動ステープラ
２        挿入口
３        調整ボタン
１０      スイッチ機構
２０      当接レバー
２２      当接端
２４      他端
３０      可動片
３２      一端
３４      係合部
４０      マイクロスイッチ
５０      調節部
５２      突起
５４      当接部
６０      位置固定部
６２      ラック
７０      ストッパ
８０      当接可動レバー
８２      当接片
８４      軸
８６      可動部
【図１】
2008221347.tif 000003
【図２】
2008221347.tif 000004
【図３】
2008221347.tif 000005
【図４】
2008221347.tif 000006
【図５】
2008221347.tif 000007